(57)【要約】【課題】被充電機器が装着される装着面上の異物が除去され易く、且つ、被充電機器の装着安定性を確保した充電装置を提供すること。【解決手段】充電装置１では、筐体２の装着面１２に携帯電話機５０が装着されたときには、筐体２に備えられた支足部２２が収納されることによって、筐体２を第１の姿勢とし、筐体２の装着面１２から携帯電話機５０が外されたときには、筐体２に備えられた支足部２２が突出されることによって、筐体２を第２の姿勢とする。この点、筐体２の装着面１２の水平面（設置面４）に対する傾斜角度については、筐体２が第２の姿勢であるときの第２の傾斜角度の方が、筐体２が第１の姿勢であるときの第１の傾斜角度よりも大きい。【選択図】図１
2008211927.tif 000002
【特許請求の範囲】
【請求項１】
被装着面を有する被充電機器を着脱可能な筐体と、この筐体に設けられ、前記被充電機器が筐体に装着された状態において前記被装着面が対置される装着面と、を備え、前記被装着面が前記装着面に対置された状態において、前記被充電機器に対して電力を供給可能な充電装置であって、
前記筐体には、前記筐体を、
前記被充電機器が前記装着面に装着されたときには第１の姿勢に、
前記被充電機器が前記装着面から外されたときには第２の姿勢に、姿勢変化可能とする姿勢変化部材が備えられ、
前記筐体が前記第１の姿勢と前記第２の姿勢との間で姿勢変化されるのに伴って、前記装着面の水平面に対する傾斜角度は、前記筐体が前記第１の姿勢であるときの第１の傾斜角度と、前記筐体が前記第２の姿勢であるときの第２の傾斜角度と、の間で変化され、
前記第２の傾斜角度は第１の傾斜角度よりも大きいことを特徴とする充電装置。
【請求項２】
前記姿勢変化部材は、前記筐体を回動可能に支持する支持部材であることを特徴とする請求項１に記載の充電装置。
【請求項３】
前記姿勢変化部材は、前記筐体と、前記筐体が設置される設置面と、の間に、前記筐体に接近する接近姿勢と前記筐体から離間する離間姿勢とに姿勢変化可能に配置され、
前記筐体は、
前記姿勢変化部材が前記離間姿勢であるとき、前記設置面から離間されることによって前記第２の姿勢となり、
前記姿勢変化部材が前記接近姿勢であるとき、前記設置面に接近されることによって前記第１の姿勢となることを特徴とする請求項１または２に記載の充電装置。
【請求項４】
前記姿勢変化部材には、前記筐体を前記設置面から離間させる方向に付勢する付勢部材が設けられ、前記離間姿勢において、前記筐体は前記付勢部材の付勢力によって前記設置面から離間され、
前記接近姿勢において、前記筐体は前記付勢部材の付勢力に抗して前記設置面に接近されることを特徴とする請求項３に記載の充電装置。
【請求項５】
前記筐体内には一次側コイルが備えられ、
前記被充電機器が前記装着面に装着された状態で前記一次側コイルは、前記被充電機器に内設された二次側コイルに対し、近傍で対向することを特徴とする請求項１〜４に記載の充電装置。
【請求項６】
前記筐体には前記筐体から露呈された充電端子が備えられ、
前記被充電機器が前記装着面に装着された状態で前記充電端子は、前記被充電機器から露呈された被充電端子に対し、当接することを特徴とする請求項１〜４に記載の充電装置。
【発明の詳細な説明】
【技術分野】
【０００１】
本発明は、家庭用コードレス電話機、携帯用電話機、ＰＨＳなどの携帯用電子機器に対して非接触で充電を行う非接触式の充電装置に関するものである。
【背景技術】
【０００２】
従来、非接触式の充電装置では、その充電装置に備えられた一次側コイルに対して、携帯用電子機器に備えられた二次側コイルが近づけられることによって、携帯用電子機器の充電が行われる。より詳細には、二次側コイルが一次側コイルからの電力を電磁誘導により受けて、二次側コイルに接続された電池が充電される。従って、その充電時には、二次側コイルが一次側コイルに対して位置決めされる必要がある。すなわち、電池が確実に充電される為には、携帯用電子機器と充電装置とは、二次側コイルが一次側コイルからの電磁誘導によって、電力を受けることが可能であるように配置された状態が維持されるように構成される必要がある。そのため、非接触式の充電装置には、携帯用電子機器を収容可能な凹部が設けられていた。
【０００３】
しかし、携帯用電子機器を収納する凹部に異物が入り込んでしまった場合、充電が目的通りに行えなかったり、また、異物が金属製である場合には、異物が発熱して、充電装置や携帯用電子機器を変質させたり変形させたりするおそれがある。
【０００４】
そこで、携帯用電子機器を収納する凹部に入り込んでしまった異物を排出する技術が開発されている（例えば、特許文献１参照）。その具体例を図１３（ａ）（ｂ）に示す。
【０００５】
図１３（ａ）（ｂ）に示すように、充電装置の筐体１１１１の上面の一部には、底面が一方向に傾斜した携帯用電子機器１１１９の一部を収納する保持凹部１１２０が設けられている。そして、携帯用電子機器１１１９の底面部に配置された二次側コイル１１２３が、保持凹部１１２０の底面に近接して配置された一次側コイル１１１５からの電力を電磁誘導によって受けて、二次側コイル１１２３に接続された電池が充電される。
【０００６】
また、保持凹部１１２０の傾斜した底面を延長するように筐体１１１１の一側面に至る異物排出面１１２５が設けられている。すなわち、筐体１１１１の上面に形成した保持凹部１１２０に連続するように切欠部１１２６を設けて保持凹部１１２０の傾斜した底面を延長した異物排出面１１２５を形成している。特許文献１の記載によれば、傾斜角度αは１５度〜４０度の範囲内とすることが望ましい。
【０００７】
図１３（ａ）から図１３（ｂ）に示されるように、保持凹部１１２０に落ち込んだ異物１１２４は、自重が作用することにより、保持凹部１１２０の底面およびこの底面に連続した異物排出面１１２５の傾斜に沿って保持凹部１１２０から排出される。よって、異物が保持凹部１１２０かに留まることが防止される。
【特許文献１】特開平１１−３１８０３６号公報（第３頁、第３−４図）
【発明の開示】
【発明が解決しようとする課題】
【０００８】
しかしながら、上記充電装置では、上述したように、異物排出面１１２５の傾斜角度の設定によっては、携帯用電子機器が保持凹部に収容されたときの安定性が低下するという問題があった。すなわち、異物排出面１１２５の傾斜角度は急であるほど異物１１２４を排出しやすくなる反面、傾斜角度が急であるほど保持凹部１１２０に収容された携帯用電子機器１１１９も傾斜されるので、安定性が低下するという問題があった。一方、異物排出面１１２５の傾斜角度が緩やかである場合では、傾斜角度が緩やかであるほど保持凹部１１２０に落ち込んだ異物が排出されずに保持凹部に留まってしまう可能性が高くなる。特に異物の重量が軽いほど作用する自重が小さくなる為異物が留まってしまう虞れが大きい。
【０００９】
また、保持凹部１１２０や異物排出面１１２５に沿って異物１１２４が排出される際には、保持凹部１１２０の底面に近接して配置された一次側コイル１１１５に異物１１２４が近づかない、あるいは、一次側コイル１１１５付近に異物１１２４が溜まらないようにする必要もある。以上のような観点から、充電装置の配置設計に制限が加えられると、携帯用電子機器１１１９の底面部に配置された二次側コイル１１２３との間で電磁誘導が最適になるような位置に、一次側コイル１１１５を設けることが困難になる場合もあり得る。また、携帯用電子機器１１１９の装着方向が制限されることも考えられる。
【００１０】
よって、上記充電装置の保持凹部１１２０に携帯用電子機器１１１９を装着しても、携帯用電子機器１１１９に対して安定した電力が供給なされず、携帯用電子機器１１１９の電力が十分に充電されなかった結果、ユーザが携帯用電子機器１１１９を使用したいときに利用できないおそれがあった。
【００１１】
尚、これらの点は、接触式の充電装置においても同様であり、さらに、金属製の異物を介した短絡の発生も考えられる。
【００１２】
そこで、本発明は、上述した点を鑑みてなされたものであり、被充電機器が装着される装着面上の異物が除去され易く、且つ、被充電機器の装着安定性を確保した充電装置を提供することを課題とする。
【課題を解決するための手段】
【００１３】
この課題を解決するために成された請求項１に係る発明は、被装着面を有する被充電機器を着脱可能な筐体と、この筐体に設けられ、前記被充電機器が筐体に装着された状態において前記被装着面が対置される装着面と、を備え、前記被装着面が前記装着面に対置された状態において、前記被充電機器に対して電力を供給可能な充電装置であって、前記筐体には、前記筐体を、前記被充電機器が前記装着面に装着されたときには第１の姿勢に、前記被充電機器が前記装着面から外されたときには第２の姿勢に、姿勢変化可能とする姿勢変化部材が備えられ、前記筐体が前記第１の姿勢と前記第２の姿勢との間で姿勢変化されるのに伴って、前記装着面の水平面に対する傾斜角度は、前記筐体が前記第１の姿勢であるときの第１の傾斜角度と、前記筐体が前記第２の姿勢であるときの第２の傾斜角度と、の間で変化され、前記第２の傾斜角度は第１の傾斜角度よりも大きいことを特徴とする。
【００１４】
また、請求項２に係る発明は、請求項１に記載の充電装置であって、前記姿勢変化部材は、前記筐体を回動可能に支持する支持部材であることを特徴とする。
【００１５】
また、請求項３に係る発明は、請求項１または２に記載の充電装置であって、前記姿勢変化部材は、前記筐体と、前記筐体が設置される設置面と、の間に、前記筐体に接近する接近姿勢と前記筐体から離間する離間姿勢とに姿勢変化可能に配置され、前記筐体は、前記姿勢変化部材が前記離間姿勢であるとき、前記設置面から離間されることによって前記第２の姿勢となり、前記姿勢変化部材が前記接近姿勢であるとき、前記設置面に接近されることによって前記第１の姿勢となることを特徴とする。
【００１６】
また、請求項４に係る発明は、請求項３に記載の充電装置であって、前記姿勢変化部材には、前記筐体を前記設置面から離間させる方向に付勢する付勢部材が設けられ、前記離間姿勢において、前記筐体は前記付勢部材の付勢力によって前記設置面から離間され、前記接近姿勢において、前記筐体は前記付勢部材の付勢力に抗して前記設置面に接近されることを特徴とする。
【００１７】
また、請求項５に係る発明は、請求項１〜４に記載の充電装置であって、前記筐体内には一次側コイルが備えられ、前記被充電機器が前記装着面に装着された状態で前記一次側コイルは、前記被充電機器に内設された二次側コイルに対し、近傍で対向することを特徴とする。
【００１８】
また、請求項６に係る発明は、請求項１〜４に記載の充電装置であって、前記筐体には前記筐体から露呈された充電端子が備えられ、前記被充電機器が前記装着面に装着された状態で前記充電端子は、前記被充電機器から露呈された被充電端子に対し、当接することを特徴とする。
【発明の効果】
【００１９】
すなわち、本発明の請求項１に記載の充電装置によれば、、筐体に備えられた姿勢変化部材によって、筐体の装着面に被充電機器が装着されたときには筐体を第１の姿勢とし、筐体の装着面から被充電機器が外されたときには筐体を第２の姿勢とし、さらに、筐体の装着面の水平面に対する傾斜角度は、筐体が第２の姿勢であるときの第２の傾斜角度の方が筐体が第１の姿勢であるときの第１の傾斜角度よりも大きいので、筐体が第２の姿勢にあるときには筐体の装着面の勾配がきつくなり筐体の装着面上の異物が溜まることなく除去される。また、筐体が第１姿勢にあるときには筐体の装着面の勾配は筐体が第２の姿勢であるときよりも緩やかなので、筐体の装着面上での被充電機器の装着性が安定する。また、姿勢変化部材によって、筐体の姿勢が第1の姿勢と第2の姿勢とに変化可能に構成されているので、設計の自由度が高い。すなわち、携帯用電子機器に配置された二次側コイルとの間で電磁誘導が最適になるような位置に一次側コイルを設けることが容易である。すなわち、異物の除去性と被充電機器の装着安定性を兼ね備え、且つ、携帯用電子機器に対して安定した電力を供給可能な充電装置を提供することができるという効果を奏する。電力が十分に充電された結果、使用者は携帯用電子機器を使用したいときに利用できる。
【００２０】
また、請求項２〜請求項４に記載の発明によれば、請求項1に記載の充電装置において、筐体に備えられた姿勢変化部材には、筐体を回動可能に支持する支持部材や、筐体と筐体が設置される設置面との間に配置されるもの、筐体を設置面から離間させる方向に付勢する付勢部材がある。これらの姿勢変化部材は、いずれも、筐体の装着面に被充電機器が装着されたときには、被充電機器の重さが作用することによって筐体を第１の姿勢とし、筐体の装着面から被充電機器が外れたときには、被充電機器の重さから解放されることによって筐体を第２の姿勢とするものである。使用者が被充電機器を利用するために、筐体の装着面から被充電機器を外せば、筐体が自動的に第１の姿勢から第２の姿勢となって、筐体の装着面上の異物が溜まることなく除去される。また、使用者が被充電機器を充電するために、筐体の装着面に被充電機器を装着すれば、筐体が自動的に第２の姿勢から第１の姿勢となって、筐体の装着面上の被充電機器が安定して装着される。よって、ユーザーの手を煩わすことなく、筐体が適切な姿勢に変化されるという効果を奏する。適切な姿勢とは、筐体の装着面に被充電機器が装着された状態においては、被充電機器に対して安定した電力を供給可能な姿勢であり、筐体の装着面に被充電機器が装着された状態においては、装着面上の異物が留まることなく除去される姿勢である。
【００２１】
また、請求項５に記載の発明は、請求項１〜４に記載の充電装置を、コイル間の電磁誘導によって充電を行う非接触式の充電装置に適用したものである。非接触式の充電装置とは、筐体内に備えられた一次側コイルに対し、被充電機器に内設された二次側コイルが近傍で対向された状態で、両コイル間の電磁誘導により被充電機器に対して電力が供給され充電が行われるものである。上述されたように、筐体が第２の姿勢であるとき、筐体の装着面上の異物は溜まることなく除去される。よって、一次側コイルが筐体の装着面もしくは一次側コイルから発生される磁力が装着面に及ぶ範囲に設けられ、且つ、異物が金属製である場合であっても、一次側コイルから発生される磁力によって異物が誘導されて発熱されることが防止される。すなわち、異物が発熱される位置に留まることが防止されるので、異物の発熱によって筐体が破損されることが防止される。また、異物の除去の観点から筐体内に備えられる一次側コイルに配置制限が加えられることがない。よって、設計の自由度が高まるという効果を奏する。さらに、筐体が第１の姿勢になることによって、筐体の装着面上の被充電機器は安定して装着されるため、被充電機器に対して電力が最適に供給される観点から、筐体内に備えられる一次側コイルの配置設計を行うことが可能となる。
【００２２】
また、請求項６に記載の発明は、請求項１〜４に記載の充電装置を、端子間の電気伝導によって充電を行う非接触式の充電装置に適用したものである。筐体から露呈された充電端子が被充電機器から露呈された被充電端子に当接された状態で、両充電端子間の電気伝導による接触式の充電が被充電機器に対して行われる。上述したように、筐体が第２の姿勢になることによって、筐体の装着面上の異物が溜まることなく除去されることから、異物の除去の観点から筐体から露呈された充電端子に配置制限が加えられることはない。よって、設計の自由度が高まるという効果を奏する。、さらに、筐体が第１の姿勢になることによって、筐体の装着面上の被充電機器は安定して装着されるため、被充電機器に対して電力が最適に供給される観点から、筐体から露呈される充電端子の配置設計を行うことが可能となる。
【発明を実施するための最良の形態】
【００２３】
［第１実施形態］
以下、本発明の実施の形態を図面を参照にして説明する。
先ず、第１実施形態の充電装置を図１乃至図６を参照にして説明する。図２は、第１実施形態の充電装置１を上方からみた斜視図である。図２に示すように、第１実施形態の充電装置１では、筐体２の上面２Ａに保持凹部１１が設けられている。また、保持凹部１１の底面である装着面１２は、筐体２の前面１４まで連続して形成されている。さらに、保持凹部１１の装着面１２には、筐体２の背面側に保支部（姿勢変化部材）１３が突設されている。尚、筐体２の背面１５には、電源コード３が設けられている。
【００２４】
図１は、第１実施形態の充電装置１の側面図である。第１実施形態の充電装置１では、図１（ａ）に示すように、筐体２の保持凹部１１に何も装着されていないときは、筐体２から支足部２２が突出され、筐体２は設置面４に対し傾いた第２の姿勢をとる。一方、図１（ｂ）に示すように、筐体２の保持凹部１１に携帯電話機５０を装着したときは、筐体２内に支足部２２が収納され、筐体２は設置面４とほぼ平行な第１の姿勢をとる。
【００２５】
従って、設置面４が水平にあるとすると、筐体２が第２の姿勢（図１（ａ））と第１の姿勢（図１（ｂ））との間で姿勢変化するのに伴い、装着面１２の水平面（設置面４）に対する傾斜角度は、筐体２が第２の姿勢（図１（ａ））であるときの第２の傾斜角度と、筐体２が第１の姿勢（図１（ｂ））であるときの第１の傾斜角度との間で変化する。また、第２の傾斜角度は第１の傾斜角度よりも大きい。
【００２６】
尚、筐体２の保持凹部１１に携帯電話機５０を装着したときには、図１（ｂ）に示すように、筐体２に内設された一次側コイル３１は、携帯電話機５０に内設された二次側コイル５１に対し、近傍で対向し、この対向状態において、両コイル３１，５１間の電磁誘導による非接触式の充電が携帯電話機５０に対して行われる。
【００２７】
このように、筐体２が第２の姿勢（図１（ａ））と第１の姿勢（図１（ｂ））との間で姿勢変化するのは、支足部２２によるものである。支足部２２は筐体２に対して回動可能であるように設けられ、筐体２から突出される姿勢と筐体２内に収納される姿勢との間で姿勢変化可能であるように構成されている。以下に、支足部２２の構成について、図３乃至図６を参照にして説明する。
【００２８】
図３は、第１実施形態の充電装置１を下方からみた斜視図である。図４は、第１実施形態の充電装置１の底面図である。図５は、第１実施形態の充電装置１を図４の線Ａ−Ａで切断した断面図である。図６は、第１実施形態の充電装置１において、筐体２内からみた支足部２２の斜視図である。
【００２９】
図３乃至図６に示すように、第１実施形態の充電装置１においては、筐体２の底面２Ｂに一対の開口部２１が設けられている。この開口部２１に隣接して軸受部２７と係止部２５とが設けられている。支足部２２の一端は回動軸部２４が設けられている。回動軸部２４が軸受部２７に嵌合されることによって、支足部２２は筐体２に対して開口部から突出される位置と、開口部に収納される位置との間で回動可能に取り付けられている。回動軸部２４にはネジリコイルバネ２３が通され、そのネジリコイルバネ２３の端部は係止部２５に係止されている。このネジリコイルバネ２３によって、支足部２２は開口部から突出される方向に付勢されている。筐体２の保持凹部１１に携帯電話機５０を装着したときは、筐体２及び携帯電話機５０の重さとネジリコイルバネ２３の付勢力との力関係から、支足部２２はネジリコイルバネ２３の付勢力に抗して筐体２の収納空間２６（図５参照）に収納される。一方、筐体２の保持凹部１１から携帯電話機５０を外したときは、筐体２の重さとネジリコイルバネ２３の付勢力との力関係から、支足部２２はネジリコイルバネ２３の付勢力によって筐体２の収納空間２６（図５参照）から突出される。
【００３０】
すなわち、支足部２２は、筐体２を設置面４から離間させる方向に付勢するものである。図１（ａ）の第２姿勢である離間姿勢において、筐体２はネジリコイルバネ２３の付勢力によって設置面４から離間される。また、図１（ｂ）の第１姿勢である接近姿勢において、筐体２はネジリコイルバネ２３の付勢力に抗して設置面４に接近される。
【００３１】
以上詳細に説明したように、第１実施形態の充電装置１では、筐体２に支足部２２が備えられることによって、筐体２の装着面１２に携帯電話機５０が装着されたときには、図１（ｂ）に示すように、筐体２は第１の姿勢となる。また、筐体２の装着面１２から携帯電話機５０が外されたときには、図１（ａ）に示すように、筐体２は第２の姿勢となる。さらに、筐体２の装着面１２の水平面（設置面４）に対する傾斜角度については、筐体２が第２の姿勢（図１（ａ））であるときの第２の傾斜角度の方が、筐体２が第１の姿勢（図１（ｂ））であるときの第１の傾斜角度よりも大きい。従って、筐体２が第２の姿勢（図１（ａ））にあるときには、筐体２の装着面１２の勾配がきつくなる。すなわち、筐体２の装着面１２上に異物があっても、その異物は、その自重によって筐体２の装着面１２上を滑り、筐体２の装着面１２上に溜まることなく除去される。また、筐体２が第１姿勢（図１（ｂ））にあるときには、筐体２の装着面１２の勾配がゆるくなり、筐体２の装着面１２上での携帯電話機５０の装着性が安定する。
以上より、第１実施形態の充電装置１では、異物の除去性と携帯電話機５０の装着安定性を兼ね備えることができる。
【００３２】
また、筐体２に備えられた支足部２２は、ネジリコイルバネ２３の付勢力を利用するものである。よって、筐体２の装着面１２に携帯電話機５０が装着されたときには、携帯電話機５０の重さが作用することによって、筐体２は第１の姿勢（図１（ｂ））となる。また、筐体２の装着面１２から携帯電話機５０が外されたときには、携帯電話機５０の重さから解放されることによって、筐体２は第２の姿勢（図１（ａ））となる。従って、使用者が携帯電話機５０を利用するために、筐体２の装着面１２から携帯電話機５０を外せば、筐体２が自動的に第１の姿勢（図１（ｂ））から第２の姿勢（図１（ａ））となり、この状態でに筐体２の装着面１２上に異物が落ちても、その異物は溜まることなく除去される。また、使用者が携帯電話機５０を充電するために、筐体２の装着面１２に携帯電話機５０を装着すれば、筐体２が自動的に第２の姿勢（図１（ａ））から第１の姿勢（図１（ｂ））となるので、筐体２の装着面１２上の携帯電話機５０が安定して装着される。
【００３３】
また、第１実施形態の充電装置１は、非接触式の充電を携帯電話機５０に対して行うものである。上述されたように、筐体２が第２の姿勢（図１（ａ））になることによって、筐体２の装着面１２上の異物が溜まることなく除去される。よって異物の除去の観点から筐体２内に備えられる一次側コイル３１に配置制限が加えられることがない。、また、、筐体２が第１の姿勢（図１（ｂ））になることによって、筐体２の装着面１２上の携帯電話機５０は安定して装着される。よって、携帯電話機５０に対して電力が最適に供給される観点から、筐体２内に備えられる一次側コイル３１の配置設計を行うことが可能となる。
【００３４】
［第２実施形態］
次に、第２実施形態の充電装置を図７を参照にして説明する。図７は、第２実施形態の充電装置１０１の側面図である。図７に示すように、第２実施形態の充電装置１０１では、筐体１０２の上面１０２Ａに保持凹部１１１が設けられている。また、保持凹部１１１の底面である装着面１１２は、筐体１０２の前面１１４  にまでとどくように形成されている。さらに、保持凹部１１１の装着面１１２には、筐体１０２の背面側に保支部（姿勢変化部材）１１３が突設されている。尚、筐体１０２の背面１１５には、電源コード１０３が設けられている。
【００３５】
第２実施形態の充電装置１０１では、図７（ａ）に示されるように、筐体１０２の保持凹部１１１に何も装着されていないときは、筐体１０２から支足部１２２が突出され、筐体１０２は設置面１０４に対し傾いた第２の姿勢をとる。一方、図７（ｂ）に示されるように、筐体１０２の保持凹部１１１に携帯電話機１５０が装着されたときは、筐体１０２内に支足部１２２が収納され、筐体１０２は設置面１０４とほぼ平行な第１の姿勢をとる。
【００３６】
従って、設置面１０４が水平にあるとすると、筐体１０２が第２の姿勢（図７（ａ））と第１の姿勢（図７（ｂ））との間で姿勢変化するのに伴い、装着面１１２の水平面（設置面１０４）に対する傾斜角度は、筐体１０２が第２の姿勢（図７（ａ））であるときの第２の傾斜角度と、筐体１０２が第１の姿勢（図７（ｂ））であるときの第１の傾斜角度との間で変化する。また、第２の傾斜角度は第１の傾斜角度よりも大きい。
【００３７】
尚、筐体１０２の保持凹部１１２に携帯電話機１５０を装着したときには、図７（ｂ）に示すように、筐体１０２に内設された一次側コイル３１は、携帯電話機１５０に内設された二次側コイル１５１に対し、近傍で対向し、この対向状態において、両コイル１３１，１５１間の電磁誘導による非接触式の充電が携帯電話機１５０に対して行われる。
【００３８】
このように、筐体１０２が第２の姿勢（図７（ａ））と第１の姿勢（図７（ｂ））との間で姿勢変化するのは、筐体１０２から飛びしたり筐体１０２内に収納されたりする支足部１２２によるものである。
【００３９】
以上より、第２実施形態の充電装置１０１は、上記第１実施形態の充電装置１と同様な構成を有しており、上記第１実施形態の充電装置１と同様な効果を奏するものである。
但し、支足部１２２については、以下の点が異なっている。すなわち、第２実施形態の充電装置１０１の支足部１２２は、図７に示すように、その回動軸１２４が筐体１０２の装着面１１２の前方下側に移設されており、筐体１０２の装着面１１２に装着された携帯電話機１５０の重さが効率よく支足部１２２の付勢力に抗するような構造となっている。また、支足部１２２が長くなっており、設置面４からの反力が効率よく支足部１２２の付勢力に抗するような構造となっている。
【００４０】
［第３実施形態］
次に、第３実施形態の充電装置を図８乃至図１０を参照にして説明する。図８は、第３実施形態の充電装置２０１の斜視図である。図８に示すように、第３実施形態の充電装置２０１では、円筒状の筐体２０２の側面に保持凹部２１１が設けられている。また、保持凹部２１１の底面である装着面２１２は、筐体２０２の側面２１４にまでとどくように形成されている。さらに、保持凹部２１１には、筐体２０２の中心側に保支部２１３が形成されている。また、筐体２０２の中心線２１５上には回動軸２０５が嵌挿されており、その回動軸２０５の両端が一対の支持板（姿勢変化部材）２０３により軸支される。
【００４１】
図９と図１０は、第３実施形態の充電装置２０１の側面図である。第３実施形態の充電装置２０１では、図９に示すように、筐体２０２の保持凹部２１１に何も装着されていないときは、筐体２０２に内設された錘２２１が最も下に位置するように筐体２０２が回動することによって、筐体２０２は、その装着面２１２が設置面２０４に対し傾いた第２の姿勢をとる。一方、図１０に示すように、筐体２０２の保持凹部２１１に携帯電話機２５０を装着したときは、携帯電話機２５０と錘２２１の重さが均衡する位置に筐体２０２が回動することによって、筐体２０２は、その装着面２１２が設置面２０４とほぼ平行な第１の姿勢をとる。
【００４２】
従って、設置面２０４が水平にあるとすると、筐体２０２が第２の姿勢（図９）と第１の姿勢（図１０）との間で姿勢変化するのに伴い、装着面２１２の水平面（設置面２０４）に対する傾斜角度は、筐体２０２が第２の姿勢（図９）であるときの第２の傾斜角度と、筐体２０２が第１の姿勢（図１０）であるときの第１の傾斜角度との間で変化する。また、第２の傾斜角度は第１の傾斜角度よりも大きい。
【００４３】
尚、筐体２０２の保持凹部２１１に携帯電話機２５０を装着したときには、図１０に示すように、筐体２０２に内設された一次側コイル２３１は、携帯電話機２５０に内設された二次側コイル２５１に対し、近傍で対向し、この対向状態において、両コイル２３１，２５１間の電磁誘導による非接触式の充電が携帯電話機２５０に対して行われる。
【００４４】
このように、筐体２０２が第２の姿勢（図１０）と第１の姿勢（図９）との間で姿勢変化する機構は、上述したように、回動軸２０５と一対の支持板２０３により回動自在に筐体２０２を支持し、そのような回動自在な筐体２０２において、錘２２１や携帯電話機２５０の重さにより発生するモーメントの作用に基づくものである。
【００４５】
以上詳細に説明したように、第３実施形態の充電装置２０１では、回動軸２０５と一対の支持板２０３により筐体２０２が回動自在に支持されることによって、筐体２０２の装着面２１２に携帯電話機２５０が装着されたときには、図１０に示すように、筐体２０２を第１の姿勢とし、筐体２０２の装着面２１２から携帯電話機２５０が外されたときには、図９に示すように、筐体２０２を第２の姿勢とする。さらに、筐体２０２の装着面２１２の水平面（設置面２０４）に対する傾斜角度については、筐体２０２が第２の姿勢（図９）であるときの第２の傾斜角度の方が、筐体２０２が第１の姿勢（図１０）であるときの第１の傾斜角度よりも大きい。従って、筐体２０２が第２の姿勢（図９）にあるときには、筐体２０２の装着面２１２の勾配がきつくなり、筐体２０２の装着面２１２上に異物があっても、その異物は、その自重によって筐体２０２の装着面２１２上を滑ることになり、筐体２０２の装着面２１２上に溜まることなく除去される。また、筐体２０２が第１姿勢（図１０）にあるときには、筐体２０２の装着面２１２の勾配がゆるくなり、筐体２０２の装着面２１２上での携帯電話機２５０の装着性が安定する。
以上より、第３実施形態の充電装置２０１では、異物の除去性と携帯電話機２５０の装着安定性を兼ね備えることができる。
【００４６】
また、筐体２０２に備えられた回動軸２０５と一対の支持板２０３は、筐体２０２を回動自在に支持するものであり、筐体２０２の装着面２１２に携帯電話機２５０が装着されたときには、携帯電話機２５０の重さが作用することによって、筐体２０２を第１の姿勢（図１０）とし、筐体２０２の装着面２１２から携帯電話機２５０が外されたときには、携帯電話機２５０の重さから解放されることによって、筐体２０２を第２の姿勢（図９）とするものである。従って、使用者が携帯電話機２５０を利用するために、筐体２０２の装着面２１２から携帯電話機２５０を外せば、筐体２０２が自動的に第１の姿勢（図１０）から第２の姿勢（図９）となるので、その後に筐体２０２の装着面２１２上に異物が落ちても、その異物は溜まることなく除去される。また、使用者が携帯電話機２５０を充電するために、筐体２０２の装着面２１２に携帯電話機２５０を装着すれば、筐体２０２が自動的に第２の姿勢（図９）から第１の姿勢（図１０）となるので、筐体２０２の装着面２１２上の携帯電話機２５０が安定して装着される。
【００４７】
また、第３実施形態の充電装置２０１は、非接触式の充電を携帯電話機２５０に対して行うものであるが、上述したように、筐体２０２が第２の姿勢（図９）になることによって、筐体２０２の装着面２１２上の異物が溜まることなく除去されることから、異物の除去の観点から筐体２０２内に備えられる一次側コイル２３１に配置制限が加えられることはなく、さらに、筐体２０２が第１の姿勢（図１０）になることによって、筐体２０２の装着面２１２上の携帯電話機２５０は安定して装着されるため、携帯電話機２５０に対して電力が最適に供給される観点から、筐体２０２内に備えられる一次側コイル２３１の配置設計を行うことが可能となる。
【００４８】
［第４実施形態］
次に、第４実施形態の充電装置を図１１を参照にして説明する。図１１は、第４実施形態の充電装置３０１の側面図である。図１１に示すように、第４実施形態の充電装置３０１では、筐体３０２の上面３０２Ａに保持凹部３１１が設けられている。また、保持凹部３１１の底面である装着面３１２は、筐体３０２の前面３１５にまでとどくように形成されている。さらに、保持凹部３１１の装着面３１２には、筐体３０２の背面側に保支部（姿勢変化部材）３１３が突設されている。尚、筐体３０２の背面３１５には、電源コード３０３が設けられている。
【００４９】
さらに、第４実施形態の充電装置３０１では、図１１（ａ）に示すように、筐体３０２の保持凹部３１１に何も装着されていないときは、筐体３０２から支足部３２２が突出され、筐体３０２は設置面３０４に対し傾いた第２の姿勢をとる。一方、図１１（ｂ）に示すように、筐体３０２の保持凹部３１１に携帯電話機３５０を装着したときは、筐体３０２内に支足部３２２が収納され、筐体３０２は設置面３０４とほぼ平行な第１の姿勢をとる。
【００５０】
従って、設置面３０４が水平にあるとすると、筐体３０２が第２の姿勢（図１１（ａ））と第１の姿勢（図１１（ｂ））との間で姿勢変化するのに伴い、装着面３１２の水平面（設置面３０４）に対する傾斜角度は、筐体３０２が第２の姿勢（図１１（ａ））であるときの第２の傾斜角度と、筐体３０２が第１の姿勢（図１１（ｂ））であるときの第１の傾斜角度との間で変化する。また、第２の傾斜角度は第１の傾斜角度よりも大きい。
【００５１】
尚、筐体３０２の保持凹部３１２に携帯電話機３５０を装着したときには、図１１（ｂ）に示すように、筐体３０２に内設された一次側コイル３３１は、携帯電話機３５０に内設された二次側コイル３５１に対し、近傍で対向し、この対向状態において、両コイル３３１，３５１間の電磁誘導による非接触式の充電が携帯電話機３５０に対して行われる。
【００５２】
このように、筐体３０２が第２の姿勢（図１１（ａ））と第１の姿勢（図１１（ｂ））との間で姿勢変化するのは、筐体３０２から飛びしたり筐体３０２内に収納されたりする支足部３２２によるものである。
【００５３】
以上より、第４実施形態の充電装置３０１は、上記第１実施形態の充電装置１と同様な構成を有しており、上記第１実施形態の充電装置１と同様な効果を奏するものである。
但し、支足部３２２の機構については、以下の点が異なっている。すなわち、第４実施形態の充電装置３０１の支足部３２２は、図１１に示すように、筐体３０２に設けられた収納空間３２１において、コイルバネ３２３とともに挿入された構造となっている。
【００５４】
すなわち、支足部３２２は、筐体３０２の収納空間３２１にコイルバネ３２３とともに挿入されることによって、筐体３０２と設置面３０４との間に、筐体３０２に接近する接近姿勢である第１の姿勢（図１１（ｂ））と筐体３０２から離間する離間姿勢である第２の姿勢（図１１（ａ））とに姿勢変化可能に配置されたものである。
【００５５】
尚、本発明は上記実施の形態に限定されるものでなく、その趣旨を逸脱しない範囲で様々な変更が可能である。
例えば、第１実施形態の充電装置１は、非接触式の充電を携帯電話機５０に対して行うものであるが、図１２の斜視図に示すように、筐体２の装着面１２に露呈した充電端子６１を備えるとともに、さらに、図示はしないが携帯電話機５０の底面にも露呈した充電端子を備えて、両充電端子間の電気伝導による接触式の充電が携帯電話機５０に対して行われるものであってもよく、上述した各効果を奏することは可能である。
この点は、第２実施形態の充電装置１０１や、第３実施形態の充電装置２０１、第４実施形態の充電装置３０１においても、同様である。
【産業上の利用可能性】
【００５６】
本発明は、充電装置の装着面上の異物を除去する技術に適用し得る。
【図面の簡単な説明】
【００５７】
【図１】第１実施形態の充電装置を上方からみた斜視図である。
【図２】第１実施形態の充電装置の側面図である。
【図３】第１実施形態の充電装置を下方からみた斜視図である。
【図４】第１実施形態の充電装置の底面図である。
【図５】第１実施形態の充電装置を図４の線Ａ−Ａで切断した断面図である。
【図６】第１実施形態の充電装置において、筐体内からみた支足部の斜視図である。
【図７】第２実施形態の充電装置の側面図である。
【図８】第３実施形態の充電装置の斜視図である。
【図９】第３実施形態の充電装置の側面図である。
【図１０】第３実施形態の充電装置の側面図である。
【図１１】第４実施形態の充電装置の側面図である。
【図１２】第１実施形態の充電装置を上方からみた斜視図である。
【図１３】従来技術の充電装置の断面図である。
【符号の説明】
【００５８】
１  充電装置
２  筐体
４  設置面
１２  装着面
２２  支足部
２３  ネジリコイルバネ
３１  一次側コイル
５１  二次側コイル
６１  充電端子
１０１  充電装置
１０２  筐体
１０４  設置面
１１２  装着面
１２２  支足部
１３１  一次側コイル
１５１  二次側コイル
２０１  充電装置
２０２  筐体
２０３  支持板
２０４  設置面
２０５  回動軸
２１２  装着面
２２１  錘
２３１  一次側コイル
２５１  二次側コイル
３０１  充電装置
３０２  筐体
３０４  設置面
３１２  装着面
３２２  支足部
３３１  一次側コイル
３５１  二次側コイル
【図１】
2008211927.tif 000003
【図２】
2008211927.tif 000004
【図３】
2008211927.tif 000005
【図４】
2008211927.tif 000006
【図５】
2008211927.tif 000007
【図６】
2008211927.tif 000008
【図７】
2008211927.tif 000009
【図８】
2008211927.tif 000010
【図９】
2008211927.tif 000011
【図１０】
2008211927.tif 000012
【図１１】
2008211927.tif 000013
【図１２】
2008211927.tif 000014
【図１３】
2008211927.tif 000015